(57)【特許請求の範囲】
【請求項１】
先端が吸い込み口に後端が排気口に形成されている筒状の本体部と、この本体部を支持する筒形の取っ手とで形成され、上記の吸い込み口から外気を吸引する電気式吸引機が本体部の排気口側に設けられ、この吸引機で吸い込み口から吸引した虫の収納箇所が本体部内に連通する上記取っ手の下端に設けられ、また取っ手の本体部内に開口する入口を倒伏時に閉塞し、取っ手を持ってスイッチを押すと引き起こされて取っ手の入口を開くと共に、本体部のエアーの流路を塞いで虫が排気口側に流れるのを防止するフィルター状の蓋を備えて形成されている吸引式の害虫駆除器であって、上記の蓋を起伏動作させる動作機構が、上記のスイッチを押すと蓋の回転軸と平行状の横軸を中心に一定角度づつ回転して蓋の引き起こしと引き起こし状態の解除を交互に行なう回転部材と、蓋の引き起こし状態が解除されると取っ手の入口を閉塞するよう蓋を倒伏させる弾性部材とで形成されていることを特徴とする吸引式の害虫駆除器。
【請求項２】
請求項１記載の吸引式の害虫駆除器であって、回転部材が、スイッチを押す度に６０度ごと同方向に回転可能に形成されていると共に、この回転部材の動きを蓋に伝える係合部が横軸を中心に１２０度おきに放射状に突き出されて形成されており、この係合部と係合する蓋の係合箇所が回転軸の周りに蓋と一体状に形成されていることを特徴とする吸引式の害虫駆除器。
【請求項３】
請求項１又は２記載の吸引式の害虫駆除器であって、回転軸に導電性部材が軸方向に延びて凸段差状に設けられ、この回転軸の傍らに、蓋が引き起こされると導電性部材に接触して吸引機の駆動回路を閉じる一対の端子片が起立状に設けられていることを特徴とする吸引式の害虫駆除器。
【発明の詳細な説明】
【技術分野】
【０００１】
本発明は、片手で持てる大きさ、重さに形成されている、携帯型ハンディータイプの害虫駆除器に関し、更に詳しくは吸引式の害虫駆除器に関するものである。
【背景技術】
【０００２】
従来この種の害虫駆除器としては、例えば特許文献１に記載されているものがある。
この従来品は、先端が吸い込み口に後端が排気口に形成されている本体部と、この本体部を支持する取っ手とで形成されている。
【０００３】
そして、吸い込み口から外気を吸引する電気式吸引機が本体部の排気口側に設けられ、この吸引機で吸い込み口から吸引した虫の収納箇所が本体部内に連通する上記取っ手の下端に設けられている。
またこの従来品は、フィルター状の蓋を備え、この蓋は使用者が取っ手を持ってスイッチを押すと引き起こされて上記の取っ手の入口を開くと共に、本体部のエアーの流路を塞いで虫が排気口側に流れるのを防止するよう形成されている。
【０００４】
而して、この従来品は、蓋の引き起こし動作を、電磁石と永久磁石との組み合わせで電気的に行なう仕組みであった。また蓋を倒伏させて取っ手の入口を閉塞する場合は、永久磁石同士の反発力と蓋の自重を利用する構造であった。
【０００５】
従って、この従来品の場合は、蓋の引き起こしに電力を消費しただけではなく、使用者が取っ手を横向きや逆さにした状態で虫を吸引し、その姿勢で吸引機のスイッチを切ると、蓋を自重で落下させることができなかった。
そのため、この従来品を使用すると、使用態様によっては取っ手の入口を閉塞できず、その結果、吸引した虫が収納箇所から逃げ出すおそれがあった。
【先行技術文献】
【特許文献】
【０００６】
【特許文献１】特許第４６４９５４０号公報
【発明の概要】
【発明が解決しようとする課題】
【０００７】
本発明は、このような従来品の問題点に鑑み、提案されたものである。
従って本発明の解決しようとする技術的課題は、蓋の引き起こしを機械的手段で行なうことによって蓋の引き起こしに要する電力の消費をなくし、また横向きや逆さの状態で吸引機のスイッチを切ったときでも、蓋を確実に倒伏できるようにし、捕獲した虫の逃げ出しを防止できるよう形成した吸引式の害虫駆除器を提供することにある。
【課題を解決するための手段】
【０００８】
本発明は、上記の課題を解決するため、次のような技術的手段を採る。
即ち本発明は、図１等に示されるように、先端が吸い込み口１ａに後端が排気口１ｂに形成されている筒状の本体部１と、この本体部１を支持する筒形の取っ手２とで形成され、上記の吸い込み口１ａから外気を吸引する電気式吸引機３が本体部１の排気口１ｂ側に設けられ、この吸引機３で吸い込み口１ａから吸引した虫４の収納箇所５が本体部１内に連通する上記取っ手２の下端に設けられ、また取っ手２の本体部１内に開口する入口２ａを倒伏時に閉塞し、取っ手２を持ってスイッチ６を押すと引き起こされて取っ手２の入口２ａを開くと共に、本体部１のエアーの流路を塞いで虫４が排気口１ｂ側に流れるのを防止するフィルター状の蓋７を備えて形成されている吸引式の害虫駆除器であって、上記の蓋７を起伏動作させる動作機構９が、上記のスイッチ６を押すと蓋７の回転軸７ａと平行状の横軸１０を中心に一定角度づつ回転して蓋７の引き起こしと引き起こし状態の解除を交互に行なう回転部材１１と、蓋７の引き起こし状態が解除されると取っ手２の入口２ａを閉塞するよう蓋７を倒伏させる弾性部材１２とで形成されていることを特徴とする（請求項１）。
【０００９】
本発明の場合、回転部材１１の回転角度は、蓋７の引き起こし角度等によって適宜選定されるので良い。また弾性部材１２は、蓋７を強制的に倒伏させることができるものであれば、バネには限られず、またその取り付け位置も任意である。弾性部材１２としては、具体的にはコイルバネ、板バネ、巻きバネ、ゴム紐等がある。
【００１０】
而して本発明は、回転部材１１が、スイッチ６を押す度に６０度ごと同方向に回転可能に形成されていると共に、この回転部材１１の動きを蓋７に伝える係合部１１ａが横軸１０を中心に１２０度おきに放射状に突き出されて形成されており、この係合部１１ａと係合する蓋７の係合箇所７ｂが回転軸７ａの周りに蓋７と一体状に形成されているのが好ましい（請求項２）。
【００１１】
なぜならこれによると、蓋７を適度の角度で、且つ反応良く引き起こすことができるからである。本発明の場合、回転部材１１の回転角度は、例えば９０度づつ断続回転させて蓋７との係合、係合解除を行ない、係合部１１ａが１８０度回ると蓋７を引き起こすよう形成したり、逆に回転角度を６０度より小さく選定するのでも良い。
【００１２】
しかし、これらの場合は、蓋７が大きく引き起こされて虫４をスムーズに取っ手２の入口２ａに誘導できなかったり、また蓋７の引き起こし角度が小さくなって本体部１内のエアーの流路を狭める、という問題が生じる。またスイッチ６を押したときの蓋７の応答性が、例えば悪くなる、という問題がある。これらの問題を、請求項２記載の本発明は、解消できるものである。
【００１３】
また本発明は、図９、図１０に示されるように、回転軸７ａに導電性部材１５が軸方向に延びて凸段差状に設けられ、この回転軸７ａの傍らに、蓋７が引き起こされると導電性部材１５に接触して吸引機３の駆動回路を閉じる一対の端子片１６が起立状に設けられているのが好ましい（請求項３）。
【００１４】
なぜならこれによると、蓋７の引き起こしを利用して簡単な構造で吸引機３を駆動させることができるからである。またこれによると、スイッチ６を１回押せば、蓋７の引き起こしと吸引動作を行なうことができ、操作が楽になり使い勝手が良くなるからである。
【発明の効果】
【００１５】
本発明は、このようにフィルター状の蓋の起伏動作を、回転部材と弾性部材とで形成した動作機構により、機械的に実現しているものである。
【００１６】
従って本発明を使用すれば、蓋の引き起こしに電力を消費することがないから、その分、節電できる。
また本発明は、蓋を弾性部材で強制的に倒伏させ、取っ手の入口を塞ぐことができる。
従って本発明によれば、横向きや逆さの状態で吸引機の駆動を停止しても、取っ手の入口を閉じることができ、その結果、吸引した虫が収納箇所から逃げ出すことを防止できる。
【図面の簡単な説明】
【００１７】
【図１】本発明の害虫駆除器の好適な一実施形態を示す側面図である。
【図２】同上害虫駆除器の正面図である。
【図３】図１のＩＩＩ−ＩＩＩ線から見た内部の構造図である。
【図４】Ａ、Ｂとも回転部材を示す斜視図である。
【図５】同上害虫駆除器の作用を説明するための要部側面図である。
【図６】同上害虫駆除器の作用を説明するための要部側面図である。
【図７】同上害虫駆除器の作用を説明するための要部側面図である。
【図８】蓋が倒伏している状態の内部構造図である。
【図９】同上害虫駆除器の要部斜視図である。
【図１０】同上害虫駆除器の作用を説明するための要部側面図である。
【発明を実施するための形態】
【００１８】
以下、本発明の好適な一実施形態を、添付図面に従って説明する。
本発明は、図１等に示されるように、先端が吸い込み口１ａに後端が排気口１ｂに形成されている筒状の本体部１と、この本体部１を支持する筒形の取っ手２とで形成されている。
【００１９】
また本発明は、上記の吸い込み口１ａから外気を吸引する電気式吸引機３が本体部１の排気口１ｂ側に設けられている。そして、この吸引機３で吸い込み口１ａから吸引した虫４の収納箇所５が、本体部１内に連通する上記取っ手２の下端に取り外し可能に設けられている。
【００２０】
また本発明は、取っ手２の本体部１内に開口する入口２ａを倒伏時に閉塞し、上記の取っ手２を持ってスイッチ６を押すと引き起こされて上記の取っ手２の入口２ａを開くと共に、本体部１のエアーの流路を塞いで虫４が排気口１ｂ側に流れるのを防止するフィルター状の蓋７を備えて形成されている。
【００２１】
蓋７は、ろ布等の多孔性面状材が方形枠に張られて形成されている。また蓋７は、引き起こされたとき、先端の横枠片が本体部１の内面に設けられているストッパー１ｃに係止するよう形成されている。またこの実施形態の場合、スイッチ６は、引き金状に形成され、コイルバネ８で常時前方（外方）に弾発されている。
【００２２】
而して、本発明は、上記の蓋７を起伏動作させる動作機構９を備えて形成されている。この動作機構９は、上記のスイッチ６を押すと蓋７の回転軸７ａと平行状の横軸１０を中心に一定角度づつ回転して蓋７の引き起こしと引き起こし状態の解除を交互に行なう回転部材１１と、蓋７の引き起こし状態が解除されると取っ手２の入口２ａを閉塞するよう蓋７を倒伏させる弾性部材１２とで形成されている。弾性部材１２は、この実施形態ではコイルバネが使用されている。
【００２３】
またこの実施形態の場合、回転部材１１は、スイッチ６を押す度に６０度ごと同方向に回転可能に形成されていると共に、この回転部材１１の動きを蓋７に伝える係合部１１ａが横軸１０を中心に１２０度おきに放射状に突き出されて形成されている。
【００２４】
１１ｂ（図４参照）は、ナット状部である。回転部材１１は、このナット状部１１ｂと、上記の係合部１１ａとが同心状態で一体状に形成されている。ナット状部１１ｂは、外周面の稜線位置に、突起１１ｂ1が稜線に沿って所定の長さ形成されている。
【００２５】
また本発明は、ナット状部１１ｂの外周の平面部に、回転部材１１の動きを６０度ごと規制する板バネ１３が密着されている。この板バネ１３は、ナット状部１１ｂを上方に付勢するよう片持ち式に設けられている（図６参照）。
【００２６】
回転部材１１は、スイッチ６が押されると、突き棒１４の後端がナット状部１１ｂの突起１１ｂ1を突くことにより、回転する。しかしこの場合、回転部材１１は、板バネ１３の作用でフリーに回転することなく、スイッチ６が押される度に、６０度ごと姿勢が保持された状態で断続回転するよう形成されている。
【００２７】
また本発明は、蓋７に、回転部材１１の係合部１１ａと係合する係合箇所７ｂが一体状に形成されている。この係合箇所７ｂは、細長の厚板状に形成され、その開放状の下端が係合部１１ａと係合するよう、回転軸７ａを中心に蓋７から所定角度離されて回転軸７ａの周りに突き出されている。
【００２８】
また本発明は、図３、図８〜図１０に示されるように、回転軸７ａに、導電性部材１５が軸方向に延びて凸段差状に設けられている。また回転軸７ａの傍らに、蓋７が引き起こされると導電性部材１５の上端縁に接触して吸引機３の駆動回路を閉じる一対の端子片１６が、起立状に設けられている。この実施形態の本発明は、これによりスイッチ６が押されて蓋７が引き起こされると、吸引機３が同時に駆動するものである。
【００２９】
また導電性部材１５は、その一方側が回転軸７ａの直径方向に延ばされて鉤形に形成され、この延長状部１５ａの先端に、弾性部材１２としてのコイルバネの下端が取り付けられている。また弾性部材１２としてのコイルバネの上端は、本体部１内の上面の所定位置に取り付けられている。
【００３０】
次に本発明の使用例及び作用を説明する。
使用者は、取っ手２を持ってスイッチ６を押す。すると、図５に示されるように、回転部材１１の係合部１１ａが、蓋７の係合箇所７ｂを押しながら、横軸１０を中心に図面上、時計方向に回転する。
【００３１】
そして係合部１１ａが、６０度回転すると、図６に示されるように、係合部１１ａが蓋７の係合箇所７ｂの下端を突き上げ、蓋７は回転軸７ａを中心に反時計方向に回転して引き起こされる。この結果、取っ手２の入口２ａが開かれ、本体部１内のエアーの流路が蓋７で閉塞される。
【００３２】
また蓋７が引き起こされると、図３、図１０に示されるように、導電性部材１５に一対の端子片１６が接触する。その結果、吸引機３の駆動回路が閉じられ、吸引機３のモータが駆動して外気が吸引される（図１の矢示参照）。
【００３３】
この場合、蓋７は、フィルター状に形成されているから、吸い込まれた外気は網目を介して後方に流れ、排気口１ｂから排気される。また吸い込まれた虫４や虫４の卵は、蓋７が誘導板として機能するため、取っ手２を介して収納箇所５に収納される。なお、虫４を始末する場合は、収納箇所５を取っ手２の下端から取り外して行なう。
【００３４】
また蓋７が引き起こされている状態（吸引機３が駆動している状態）で、使用者がスイッチ６を押すと、回転部材１１が横軸１０を中心に時計方向に６０度回転し、係合部１１ａと、蓋７の係合箇所７ｂとの係合状態が解除される。すると、図７に示されるように、弾性部材１２としてのコイルバネが収縮し、その牽引力で導電性部材１５の延長状部１５ａが引き上げられる。その結果、蓋７は、回転軸７ａを中心に下方に回転して倒伏し、取っ手２の入口２ａを閉塞する。
【００３５】
また蓋７が倒伏すると、図８〜図１０に示されるように、導電性部材１５が一対の端子片１６から離される。その結果、吸引機３の駆動回路が開かれ、吸引機３のモータが停止し、吸引動作が終了する。
【符号の説明】
【００３６】
１      本体部
１ａ    吸い込み口
１ｂ    排気口
２      取っ手
２ａ    入口
３      電気式吸引機
４      虫
５      収納箇所
６      スイッチ
７      蓋
７ａ    回転軸
８      コイルバネ
９      動作機構
１０    横軸
１１    回転部材
１２    弾性部材
【要約】
【課題】  蓋の引き起こしに要する電力の消費をなくし、また横向きや逆さの状態で吸引機のスイッチを切ったときでも、蓋を確実に倒伏できるようにする。
【解決手段】  本体部１と取っ手２とで形成する。電気式吸引機３を本体部１の排気口１ｂ側に設ける。虫４の収納箇所５を、取っ手２の下端に設ける。取っ手２の入口２ａを倒伏時に閉塞し、スイッチ６を押すと引き起こされて取っ手２の入口２ａを開くと共に、本体部１のエアーの流路を塞いで虫４が排気口１ｂ側に流れるのを防止するフィルター状の蓋７を備える。蓋７を起伏動作させる動作機構９を、スイッチ６を押すと横軸１０を中心に一定角度づつ回転して蓋７の引き起こしと引き起こし状態の解除を交互に行なう回転部材１１と、蓋７の引き起こし状態が解除されると取っ手２の入口２ａを閉塞するよう蓋７を倒伏させる弾性部材１２とで形成する。
【選択図】      図１【図１】
0004838908.tif 000002
【図２】
0004838908.tif 000003
【図３】
0004838908.tif 000004
【図４】
0004838908.tif 000005
【図５】
0004838908.tif 000006
【図６】
0004838908.tif 000007
【図７】
0004838908.tif 000008
【図８】
0004838908.tif 000009
【図９】
0004838908.tif 000010
【図１０】
0004838908.tif 000011